(57)【要約】【課題】  簡単にそして確実にピンホール等の存在を点検することができ、耐久性にも優れた耐電性手袋を提供する。【解決手段】  内側は布または編物４で構成されており、外側は高分子被膜５で構成されており、かつ、前記内側を構成している布または編物４は嵌め口部において高分子６が含浸されている。当該高分子６はＪＩＳ  Ｋ  ６２５３  加硫ゴム及び熱可塑性ゴムの硬さ試験方法に準じて、タイプＡデュロメータによって測定した硬さが７０未満であることが好ましい。【選択図】図２
2009057672.tif 000002
【特許請求の範囲】
【請求項１】
簡単にそして確実にピンホール等の存在を点検することができ、耐久性にも優れた耐電性手袋であって、当該手袋は、内側は布または編物で構成されており、外側は高分子被膜で構成されており、かつ、前記内側を構成している布または編物は嵌め口部において高分子が含浸されていることを特徴とする、耐電性手袋。
【請求項２】
嵌め口部において含浸されている高分子が、ＪＩＳ  Ｋ  ６２５３  加硫ゴム及び熱可塑性ゴムの硬さ試験方法に準じて、タイプＡデュロメータによって測定した硬さが７０未満であることを特徴とする、請求項１記載の耐電性手袋。
【請求項３】
含浸されている高分子が、高分子液状体の硬化体で構成されていることを特徴とする、請求項１または２記載の耐電性手袋。
【請求項４】
含浸されている高分子が、幅１０ｍｍ〜１００ｍｍの環状であることを特徴とする請求項１、２または３記載の耐電性手袋。
【発明の詳細な説明】
【技術分野】
【０００１】  本発明は、作業者の感電を防止するための耐電性手袋に関し、特に、作業者が使用するときに、水漏れ等の原因となるピンホールやその他、目には見えにくい破れ（以下ピンホール等という）の存在を簡単に調べることができ、しかも、嵌め口部（手を手袋に挿入する筒状の部分）上部が長期間使用しても破損等が生じることがない、内側が布または編物で構成されている耐電性手袋に関する。
【技術背景】
【０００２】  内側が布または編物で構成されている耐電性手袋（以下、布等を有する耐電性手袋ということもある）は、電力会社、電気工事会社等における送電線や配電線等の電気回路での作業に使用されている。
電気回路での作業に使用される手袋は、条件の一つとして、指先で部品を掴んで、引っ張ったり，廻したりする作業が容易であること等が要求される。また、条件の他の一つとして、屋外工事が多いため雨中でも感電等に遭わず安全に使用できるように防水性であることが要求される。
【０００３】  前者の条件は、内側、即ち手袋を嵌めたときに、手に接する面に伸縮性を有するメリヤス等の編物を使用し、その外側にゴムラテックス等により形成された薄い被膜を使用することにより解決されている。
後者の条件は、製造工程中でゴムラテックス等中に浸漬する工程を採用し，全外面に継ぎ目のない被膜を形成させることにより略解決されている。
【０００４】  なお、本発明に関連する公知技術として次の特許文献１及び２を挙げることができる。
【０００５】
【特許文献１】  特公平６−２１３６４号公報
【０００６】
【特許文献２】  特開平１０−３３１０１２号公報
【発明の開示】
【発明が解決しようとする課題】
【０００７】  上記のように、編物を有する耐電性手袋の防水性は、製造工程中でゴムラテックス等中に浸漬する工程を採用し，全外面に継ぎ目のない被膜を形成させることにより略解決されている。
しかしながら、上記のようにして製造された耐電性手袋であっても、少数ではあるが、偶々、ピンホール等が生じている場合がある。また、当該手袋は、上記のように、作業性を良くするために、外側が、ゴムラテックス等により形成された薄い被膜で構成されているので、送電線や配電線等の電気回路での作業に一度でも使用されると、ピンホール等が生じることもある。このようなピンホール等は、特に、作業中に部品等と最も接触が多い指先等で生じ易い。【０００８】  布付き耐電性手袋に、このようなピンホール等が生じると、雨中等での作業中に感電事故を起こす危険がある。そのため、電力会社や電気工事会社等では、作業者が、作業に入る前に、空気漏れの点検によりピンホール等の有無を確認するように指導し、実施している。【０００９】  空気漏れの点検方法としては、通常、次の様にして行なわれていた。先ず、耐電性手袋の嵌め口部を掌部側でまたは甲部側で２〜３回折り曲げて横方向（嵌め口部の縁部と並行な方向）に重なった部分を作り、その重なった部分を略中央付近で縦方向（手袋の長さ方向）に折り曲げていた。そして、この折り曲げられ重ねられた部分を一方の手で強く締めていた。
このような操作により、手袋内部の空気は出口が塞がれると同時に、内部の空気は圧縮され、手袋は膨れるので、その膨れた手袋を他の一方の手で押して圧迫しながら、空気が漏れるのを点検し、ピンホール等の有無を確認していた。【００１０】  上記公知の特許文献に記載されているような耐電性手袋は、内側全面に布や編物等が露出している。そのため、上記のように嵌め口部を掌部側でまたは甲部側で横方向に２〜３回折り曲げて重ね、その重なった部分を略中央付近で縦方向に折り曲げて、膨れた手袋を手で押して圧迫したときに、嵌め口部から空気が漏れてしまい、膨れていた手袋が萎み、ピンホール等の存在を点検することができなかった。
嵌め口部から空気の漏れは、耐電性手袋内側の布や編物等が通気性を有し、当該布や編物等の断面（当該断面は嵌め口部の縁部に存在している）から、外部に空気が漏れるのが、主な原因である。【００１１】  更に詳述すると、手袋内側の布や編物等が通気性を有することについては、上記公知文献の一つに、下記のような記載がある。
耐電性手袋の製造工程において、手型に被装した布手袋を、凝固剤を含有し、これを起泡したラテックス中に浸漬するので、ラテックスは布手袋の外面に泡構造のまま凝固する。即ち、発泡ゴムの凝固層が形成される。【００１２】  この凝固層は、一つは、手型を泡の中に浸漬するので通常の液状ラテックスと異なり水圧が低いため目漏れしないという性質を有し、二つは、泡構造のラテックスが布等の空隙の中に浸透し難い性質をもっているので目漏れしないという性質を有する。
かくて，両々相俟って、たとえ、編目の空隙が０，３〜０，５ｍｍであっても、発泡ゴムの凝固層で目漏れを防いでおり、しかも、編目の空隙が塞がっていないので、布手袋の伸縮性を阻害せず、製品の柔軟性や作業性が保たれる、との記載である。【００１３】  上記のように、発泡ゴムの層が布へのラテックスの浸透を防いでいるため、布の通気性が保たれているのである。
従って、作業中、手袋の中が蒸れることはなく、気持よく作業ができる。
反面、このことが、所謂ピンホール等が生じ易くなり、布や編物等の断面から外部に空気が漏れる主な原因となっている。【００１４】  上記のような事情に鑑み、以前、本出願人は、送電線や配電線等の電気回路での作業を行う前に、現場等で作業者が、簡単にそして確実にピンホール等が存在しているか否かを点検することができる耐電性手袋を発明した（平成１８年７月３日出願、特願２００６−０８９８４）。【００１５】  当該発明は、簡単にそして確実にピンホール等の存在を点検することができる耐電性手袋であって、当該手袋は、内側は嵌め口部の端部（嵌め口部の一部で縁部に近い部分）を除いて、その他の部分は布または編物で構成されており、外側は全面が高分子被膜で構成されていることを特徴とする、耐電性手袋である。【００１６】  更に，詳述すると、上記耐電性手袋は、内側は嵌め口部の端部を除いてその他の部分、即ち、中手部及び指部は布または編物で構成されており、外側は全面、即ち、嵌め口部、中手部及び指部が高分子被膜で構成されている。なお、内側の嵌め口部の端部は、上記外側を構成している高分子被膜が、当該端部でそのまま構成部材となっている。
従って、送電線や配電線等の電気回路での作業を行う前に、現場等で作業者は、先ず、耐電性手袋の布または編物の存在していない嵌め口部の端部、即ち、高分子被膜のみで構成されている部分を、掌部側でまたは甲部側で２〜３回折り曲げて横方向に重なった部分を作ったとき、嵌め口部の内側では、高分子被膜のみで構成されている部分同士が接触している部分ができる。【００１７】  その接触している部分を略中央部付近で縦方向に折り曲げ、この折り曲げられ重ねられた部分を一方の手で強く締め、内部の空気を圧縮し、手袋を膨らませる。
このとき、当該接触している部分は、通気性がない高分子被膜同士が密接しているので、当該部分では空気は漏れることはない。そのことにより、その他の部分、即ち、上記折り曲げられ重ねられた部分以外の部分において、ピンホール等があれば当該ピンホール等の部分で空気は漏れるので、ピンホール等の有無を直ちに確認することができる。【００１８】  従って、上記のような耐電性手袋により、作業者は、送電線や配電線等の電気回路での雨中の作業においても、感電による事故に遭うことなく、作業者は、安全に作業を行うことができる。
しかしながら、当該耐電性手袋も繰り返し使用しているうちに、時折下記のような現象が散見された。【００１９】  上記耐電性手袋の内側は嵌め口部の端部を除いてその他の部分、即ち、中手部及び指部は布または編物で構成されており、外側は全面、即ち、嵌め口部、中手部及び指部が高分子被膜で構成されている。【００２０】  更に内側について詳述すると、嵌め口部の端部は、布または編物は存在せず、高分子被膜のみで構成されており（換言すれば、当該端部は布または編物は存在していないので、上述した外側の高分子被膜は内側にそのまま露出している、即ち、当該高分子被膜は嵌め口部の端部の内側も同時に構成している）、嵌め口部の端部以外の部分は、布または編物が存在している。【００２１】  従って、作業者が作業時に手を、耐電性手袋の嵌め口部の端部に入れ、更に当該端部より先の方に（中手部及び指部の方に）入れたときに、布または編物の縁部に作業者の指が当り、当該縁部が剥離することがある。
また、上記のようにして、耐電性手袋に手を入れるときに、嵌め口部の端部の縁部付近を他方の手で引っ張りつつ入れるので、当該引っ張る力が、布または編物の縁部に接している高分子被膜に集中し、その集中した部分で高分子被膜が破損することがある。【００２２】  本発明は、従来の耐電性手袋が有していた上記のような課題を解決するために成されたものであり、長期間に亘って繰り返して使用し、作業者が作業時に手を、耐電性手袋の嵌め口部の端部に入れ、更に当該端部より先の方に手を入れたときに、布または編物の縁部に作業者の指が当っても、当該縁部の剥離を防ぐことができる耐電性手袋を提供することを目的とする。
更に、嵌め口部の端部の縁部付近を他方の手で引っ張りつつ手を入れても、布または編物の縁部に接している高分子被膜の破損を防ぐことができる、耐久性にも優れた耐電性手袋を提供することを目的とする。【００２３】  上記目的を達成するために講じた本発明の手段は、次の通りである。
第１の発明は、簡単にそして確実にピンホール等の存在を点検することができ、耐久性にも優れた耐電性手袋であって、当該手袋は、内側は布または編物で構成されており、外側は高分子被膜で構成されており、かつ、前記内側を構成している布または編物は嵌め口部において高分子が含浸されていることを特徴とする、耐電性手袋である。【００２４】  第２の発明は、嵌め口部において含浸されている高分子が、Ｊ１Ｓ  Ｋ  ６２５３加硫ゴム及び熱可塑性ゴムの硬さ試験方法に準じて、タイプＡデュロメータによって測定した硬さが７０未満であることを特徴とする、第１の発明に係る耐電性手袋である。【００２５】  第３の発明は、含浸されている高分子が、高分子液状体の硬化体で構成されていることを特徴とする、第１または第２の発明に係る耐電性手袋である。【００２６】  第４の発明は、含浸されている高分子が、幅１０ｍｍ〜１００ｍｍの環状であることを特徴とする、第１、第２または第３の発明に係る耐電性手袋である。
【発明の効果】
【００２７】  第１の発明に係る耐電性手袋は、前記のように、内側は布または編物で構成されており、外側は高分子被膜で構成されており、かつ、前記内側を構成している布または編物は嵌め口部において高分子が含浸されている。
従って、送電線や配電線等の電気回路での作業を行う前に、現場等で作業者は、先ず、嵌め口部、即ち、高分子が含浸されている部分を、掌部側でまたは甲部側で２〜３回折り曲げて横方向に重なった部分を作ったとき、嵌め口部の内側では、高分子が含浸されている部分同士が接触する。【００２８】  その接触している部分を略中央部付近で縦方向に折り曲げ、この折り曲げられ重ねられた部分を一方の手で強く締め、内部の空気を圧縮し、手袋を膨らませる。
当該接触している部分は、布または編物に高分子が含浸されているので、当該布または編物が有する間隙等は塞がれ通気性は阻却され、手で強く締め密接させても、その部分から空気が漏れることを防ぐことができる。
そのことにより、その他の部分、即ち、上記折り曲げられ重ねられた部分以外の部分において、ピンホール等があれば、当該ピンホール等の部分で空気は漏れるので、ピンホール等の有無を直ちに確認することができる。【００２９】  更に、嵌め口部においては、当該嵌め口部を構成している布または編物の部分は高分子で補強されているので、長期間に亘って繰り返して、作業者が作業時に手を、嵌め口部の端部に入れ、更に当該端部より先の方に手を入れたときに、布または編物の縁部（中手部と接している部分）に作業者の指が当っても、当該縁部が剥離することがなく、更に、嵌め口部の端部の縁部付近を他方の手で引っ張りつつ手を入れても、布または編物の縁部に接している高分子被膜が破損するのを防ぐことが出来る。【００３０】  第２の発明に係る耐電性手袋は、嵌め口部において含浸されている高分子が、ＪＩＳＫ  ６２５３  加硫ゴム及び熱可塑性ゴムの硬さ試験方法に準じて、タイプＡデュロメータによって測定した硬さが７０未満であり、十分な柔軟性（変形性）を有する。
そのことにより、嵌め口部を、掌部側でまたは甲部側で２〜３回折り曲げて横方向に重ねたとき、接触面同士が緊密に馴染みやすく、完全に密接させることができる。
そして、接触面間に空隙、即ち、隙間等が生じることはなく、嵌め口部から空気が漏れるのを確実に防ぐことができる。
従って、その他の部分、即ち、嵌め口部以外の部分において、ピンホール等があれば、空気の漏れを確実に確認することができる。【００３１】  勿論、上記第１の発明と同様に、嵌め口部においては、当該嵌め口部を構成している布または編物の部分は高分子で補強されているので、長期間に亘って繰り返して、作業者が作業時に手を、嵌め口部の端部に入れ、更に当該端部より先の方に手を入れたときに、布または編物の縁部（中手部と接している部分）に作業者の指が当っても、当該縁部が剥離することがなく、更に、嵌め口部の端部の縁部付近を他方の手で引っ張りつつ手を入れても、布または編物の縁部に接している高分子被膜が破損するのを防ぐことが出来る。【００３２】  第３の発明に係る耐電性手袋は、含浸されている高分子が、高分子液状体の硬化体で構成されているので、その高分子液状体の含浸時に、布または編物等の織り目又は編目、即ち、空隙に入り込み易く、硬化したときに、その空隙を確実に塞ぐことができる。
そのことにより、嵌め口部を、掌部側でまたは甲部側で２〜３回折り曲げて横方向に重ねたとき、当該部分の布または編物等を非通気性にすることができ、嵌め口部から空気が漏れるのを確実に防ぐことができる。
従って、その他の部分、即ち、嵌め口部以外の部分において、ピンホール等があれば、その部分での空気の漏れを更に確実に確認することができる。【００３３】  更に、嵌め口部においては、当該嵌め口部を構成している布または編物の部分は、上記のように空隙が確実に塞がれ、より強固に高分子で補強されているので、長期間に亘って繰り返して、作業者が作業時に手を、嵌め口部の端部に入れ、そして、当該端部より先の方に手を入れたときに、布または編物の縁部に作業者の指が当っても、当該縁部が剥離することがなく、嵌め口部の端部の縁部付近を他方の手で引っ張りつつ手を入れても、布または編物の縁部に接している高分子被膜が破損するのをより確実に防ぐことが出来る。【００３４】  第４の発明に係る耐電性手袋は、含浸されている高分子が、幅１０ｍｍ〜１００ｍｍの環状であるので、嵌め口部の端部を、掌部側でまたは甲部側で最も効率良く、２〜３回折り曲げて横方向に全面に亘って重ね易く、上記第１、第２及び第３の発明に係る耐電性手袋の効果を更に確実に向上させることができる。
【発明を実施するための最良の形態】
【００３５】  耐電性手袋の内側を構成している布または編物を覆って外面（外側）を構成する高分子被膜の素材としては、通常、柔軟性のある被膜とすることができる、天然ゴム、ポリイソプレンゴム、アクリロニトリル・ブタジェン共重合ゴム、ポリクロロプレンゴム、ポリブタジェンゴム、スチレン・ブタジェン共重合ゴム、ポリ塩化ビニルまたはポリウレタン等の液状体、即ち、ラテックス、エマルジョンまたは有機溶剤に溶かした溶液等を使用することができる。【００３６】  耐電性手袋の内側を構成している布または編物に含浸される高分子の液状体は、上記と同様の高分子で、それらのラテックス、エマルジョン、溶剤等による溶液等が使用される。含浸は浸漬、刷毛塗り，へら塗り等により行なわれる。
上記液状体の硬化体は通常は充実体であるが、布または編物に含浸したときに、当該布または編物の織り目または編目、即ち、空隙を充填し通気性を阻却するものであれば発泡体でも使用することができる。【００３７】  内側を構成している布または編物の嵌め口部に含浸される高分子は、通常は端部に含浸され、その形状は環状である。環状の幅は、１０ｍｍ〜１００ｍｍであり、好ましくは、３０ｍｍ〜５０ｍｍである。１０ｍｍ未満であると、ピンホール等の有無の点検操作をするときに、高分子被膜の部分同士の接触面積が不十分となり、密閉を確実に行うことができない虞がある。
また、１００ｍｍを超えると、高分子被膜の部分が広くなりすぎて、手の手袋への挿入に時間がかかり、その上、作業中に手が蒸れて作業能率が落ちる虞がある。
【実施例】
【００３８】  以下、本発明の耐電性手袋の代表例を図面に基づき詳細に説明する。図１はその手袋の左手の掌から見た場合の正面図、図２は図１のＡ−Ａ視拡大断面図である。なお、図２では、甲部側の断面図は省いており、模式的に描いている。【００３９】  図中，Ｇは耐電性手袋を示す。耐電性手袋Ｇは、指部１、中手部２及び嵌め口部３の各区部よりなる。耐電性手袋Ｇの嵌め口部３は、端部３１と当該端部３１を除いたその他の部分３２とよりなる。そして、内側は、布または編物４で構成されており、外側は高分子被膜５で構成されている。上記嵌め口部３の端部３１は高分子６が含浸されている。【００４０】  ここで、上記耐電性手袋Ｇの各層または部材の詳細は、次の通りである。布または編物４は綿糸４０番手引き揃えのメリヤスより形成されている。メリヤス４の厚みは、ほぼ０，３ｍｍである。高分子被膜５は内側の発泡層５１と外側の充実層５２とよりなり、前者は天然ゴムの発泡体であり、厚み０，７ｍｍ、比重０，３である。後者は天然ゴムとポリイソプレンゴムとの等重量のブレンドゴムの充実体であり、厚み０，５ｍｍ、比重１，２である。含浸された高分子６は天然ゴムとポリイソプレンゴムとの等重量のブレンドゴムの充実体であり、比重１，２であり、メリヤス４と一体となった後は、両者合わせて０，５ｍｍとなっている。【００４１】  耐電性手袋Ｇの製造方法について説明する。先ず、上記メリヤス４を手袋状に縫製する。この縫製物は、中指から嵌め口部の縁部までの長さが３００ｍｍである。
アルミニウム製の手型（図示はしていない）に上記手袋状に縫製したメリヤス４を被装する。この手型を凝固剤溶液（硝酸カルシウムをメタノールに溶解し、濃度５０パーセントの溶液にしたもの）に浸漬し、引き上げて、７０℃の乾燥室に１５分間入れて乾燥した。
乾燥後、室温で１０分間静置し、下記配合の天然ゴム配合ラテックス（ミキサーにて３，５〜４，０倍に泡立てしたもの）の中に１分間浸漬し引き上げた。
このとき、浸漬は、中指から嵌め口部の縁部までの長さが３００ｍｍになるように行った。【００４２】
2009057672.tif 000003
ここで、チウラム系加硫剤分散体は、テトラメチルチウラムジスルフィド、５０％ＮＯＮＯＸ  ＷＳＬ乳化剤は、ＩＣＩ社（英国）の商品名、ペレックスＩＡは、花王（株）の商品名である。【００４３】  上記のようにして処理された手型外面に配合ラテックスにより、発泡した状態の厚み０，７ｍｍの凝固層（この凝固層は後の工程で加硫されて発泡層５１となる）を形成した。
このとき、凝固層の表面には、未凝固の発泡層が一部残っているので、空気を吹き付けて飛ばしたり、水シャワーで洗い落としたり、または水中に浸漬したりして除去した。このようにして処理し、発泡した凝固層の厚みは、上記配合ラテックスへの浸漬時間により調整することができる。【００４４】  更に、水道水にて１０秒間水洗し、常温で風乾後、下記配合のブレンドゴム配合ラテックスに１０秒間浸漬し、上記凝固層の外面に層を形成した。この操作を後１回行った後、引き上げ、厚み０，５ｍｍの充実層５２を形成した。
上記浸漬は、中指から嵌め口部の縁部までの長さが、３００ｍｍになるように行った。【００４５】
2009057672.tif 000004
ここで、ペレックスＳＳＬは、花王（株）製のアルキルジフェニルエーテルジスルホン酸ナトリウム、消泡剤は、信越化学工業（（株））の商品名ＫＷ７１シリコンエマルジョンを使用した。【００４５】  以後、全体を段階的に１００℃に昇温し、発泡層５１と充実層５２とを乾燥した。乾燥後、１００℃の加硫缶にて５０分間加硫した。加硫後、手型から外した。外した手袋を、嵌め口部３の端部３１縁部（最下部）から４０ｍｍの個所で外側に折り返した。次いで、充実層５２を形成した上記ブレンドゴム配合ラテックスに、折り返し線から上方の２０ｍｍの箇所まで１０秒間浸漬しした。引き上げた後、１００℃に昇温し乾燥後、１００℃の加硫缶にて５０分間加硫し、メリヤス４に含浸したラテックスの硬化体６を形成した。
最後に、上記折り返しを元に戻し、全長が２８０ｍｍになるように、嵌め口部３の端部３１縁部から２０ｍｍの個所で切断した。
このようにして、図１及び図２に示すような耐電性手袋Ｇを得た。当該耐電性手袋Ｇの嵌め口部３の端部３１の内側には幅４０ｍｍに亘ってラテックスの硬化体６が含浸されている。【００４６】  上記耐電性手袋Ｇの耐電性試験の一つの例として下記の試験を行なった。一般に、電気回路の作業において、嵌めた手袋が濡れた状態であっても、感電事故から免れるためには、手袋を水中に浸漬して引き上げた後、電極間電圧７５０Ｖ（６０ＨＺ）において、充電電流が少なくとも１０，０ｍＡ以下でなければならないと云われている。【００４７】  そこで、上記耐電性手袋Ｇを１００個用意し、４等分した。ＪＩＳ  Ｔ８０１０−１９７９，４記載の装置を用い、そのうちの一群を２分間水中に浸漬し、他の三群もそれぞれ、２時間、４時間、６時間浸漬し、引き上げ直ちに、電極間電圧７５０Ｖ（６０ＨＺ）での充電電流を測定した。
その結果、それぞれの充電電流は、０，１３ｍＡ、０，３２ｍＡ、０，４３ｍＡ、１，４９ｍＡであり、嵌めた手袋が濡れた状態であっても、感電事故から免れうることが分かった。【００４８】  上記耐電性手袋Ｇの２０個を、２０人の作業者が嵌めて、晴天日に電柱での架線作業で８時間使用した。その翌日、この耐電性手袋Ｇの嵌め口部３の端部３１を掌部側で横方向に２〜３回折り曲げて重ね、その重なった部分を略中央付近で縦方向に折り曲げて、曲げられた部分を左手で締め、耐電性手袋Ｇの膨れた部分を右手で押して圧迫した。
このようにして圧迫した耐電性手袋Ｇの全てにおいて、嵌め口部３の端部３１の縁部からの空気の漏れは認められなかった。しかしながら、一個の耐電性手袋Ｇにおいて、親指の掌側で空気漏れが認められ、目では見えないピンホールが発生していることが分かった。【００４９】  なお、高分子被膜５の内側の発泡層５１は、作業中の蒸れ等を考えて通気性のある連続気泡性の発泡体を使用したが、嵌め口部３の端部３１を掌部側で横方向に２〜３回折り曲げて重ね、その重なった部分を略中央付近で縦方向に折り曲げて、曲げられた部分を左手で締め、耐電性手袋Ｇの膨れた部分を右手で押して圧迫したときに、発泡層５１中の気泡は上記圧迫により潰れており、実質上、充実層と同じようになっていた。
従って、高分子被膜５の内側に発泡層５１を使用しても、本発明の効果を阻害するものではないことが分かる。
同時に、内側での嵌め口部３端部３１では、メリヤス４にはラテックスの硬化体６が含浸されているので、間隙が充填され、通気性がなくなっていることも分かる。【００５０】  更に、晴天日に電柱での架線作業で８時間使用した上記耐電性手袋Ｇと同じ手袋を１００個製造した。この手袋を作業者が嵌め、晴天日が多い９月から１０月にかけての３０日間、電柱での架線作業で使用したところ、内側での嵌め口部３の端部３１での破損や亀裂等は見られなかった。
【産業上の利用可能性】
【００５１】  本発明の耐電性手袋は、電力会社や電気工事会社の電気回路作業の外、電気機械や電気機器の据付、点検、修理等の作業、及び家庭電器等の修理等にも使用することができる。
【図面の簡単な説明】
【００５２】
【図１】  本発明の耐電性手袋を、左手の掌側から見た正面図である。
【図２】  図１のＡ−Ａ視拡大断面図である。甲側の断面図は省略してある。
【符号の説明】
【００５３】Ｇ        耐電性手袋
１        指部
２        中手部
３        嵌め口部
３１      内側の嵌め口部３の端部
３２      上記端部３１の以外の嵌め口部３の他の一部
４        布または編物
５        高分子被膜
５１      発泡層
５２      充実層
６        布または編物に含浸された高分子の硬化体
【図１】
2009057672.tif 000005
【図２】
2009057672.tif 000006